(57)【要約】【課題】広い地域をカバーし、低コストで高精度の位置計測を行える測位システムを提供する。【解決手段】走行移動物体１１の周辺には、複数の固定基地局１６が設けられる。システム端末（位置補正情報生成装置）１５は、複数の固定基地局１６からの位置補正情報を受信し、複数の固定基地局１６からの位置補正情報から、走行移動物体１１上で、高精度位置補正情報を抽出・生成する。ガイダンス装置１２及び移動衛星受信機１３（位置計測装置）は、衛星からの情報を受信して走行移動物体の位置を測位する。システム端末１５は、抽出・生成した高精度位置補正情報をガイダンス装置１２に供給し、ガイダンス装置１２は、システム端末１５からの高精度位置補正情報により走行移動物体１１の位置を補正して高精度位置情報を生成する。【選択図】図１
2017083212.tif 000002
【特許請求の範囲】
【請求項１】
走行移動物体の周辺に設けられた複数の固定基地局と、
前記複数の固定基地局からの位置補正情報を受信し、前記複数の固定基地局からの位置補正情報から、走行移動物体上で、高精度位置補正情報を抽出・生成する位置補正情報生成装置と、
衛星からの情報を受信して走行移動物体の位置を測位する位置計測装置と、
を備え、
前記位置補正情報生成装置は、抽出・生成した高精度位置補正情報を前記位置計測装置に供給し、
前記位置計測装置は、前記位置補正情報生成装置からの高精度位置補正情報により前記走行移動物体の位置を補正して高精度位置情報を生成する
ことを特徴とする測位システム。
【請求項２】
前記位置補正情報生成装置は、前記複数の固定基地局からの位置補正情報から精度が最も高くなるものを適宜選択して、高精度位置補正情報として出力する
ことを特徴とする請求項１に記載の測位システム。
【請求項３】
前記位置補正情報生成装置は、前記複数の固定基地局からの位置補正情報から前記走行移動物体上で仮想基地局を生成し、前記仮想基地局の位置補正情報を高精度位置補正情報として出力する
ことを特徴とする請求項１に記載の測位システム。
【請求項４】
前記位置補正情報生成装置は、前記位置計測装置により生成された高精度位置情報と、同時刻帯のセンサ情報とを統合・編集して蓄積部に蓄積する
ことを特徴とする請求項１に記載の測位システム。
【請求項５】
位置補正情報生成装置が、走行移動物体の周辺に設けられた複数の固定基地局からの位置補正情報を受信し、前記複数の固定基地局からの位置補正情報から、走行移動物体上で、高精度位置補正情報を抽出・生成するステップと、
前記位置補正情報生成装置からの高精度位置補正情報を位置計測装置に供給するステップと、
位置計測装置が、衛星からの情報を受信して走行移動物体の位置を測位するとともに、前記位置補正情報生成装置からの高精度位置補正情報により前記走行移動物体の位置を補正して高精度位置情報を生成するステップと
を含むことを特徴とする測位方法。
【発明の詳細な説明】
【技術分野】
【０００１】
本発明は、測位システム及び測位方法に関する。
【背景技術】
【０００２】
移動物体の位置特定、走行精度の向上においてはＧＰＳ（Ｇｌｏｂａｌ  Ｐｏｓｉｔｉｏｎｉｎｇ  Ｓｙｓｔｅｍ；全地球測位システム）測位技術の利用が一般化している。カーナビゲーションにあってはＧＰＳ測位と道路等市街地地図の相互補完技術により実用精度が得られるため普及している。しかしながら、ＧＰＳ測位では、道路や建築構造物等の目印が無い農地や原野等では、適切な位置を表示することが困難である。
測量分野においては精度の向上が図れるＲＴＫ（Ｒｅａｌ  Ｔｉｍｅ  Ｋｉｎｅｍａｔｉｃ；リアルタイムキネマティック）方式が認められ、ネットワークにより随時の場所、時刻において活用することができる。しかしながら、この測量用ＲＴＫ方式によって移動物体の位置特定、走行精度の向上を図るにはコストがかかり、日常に用いることは困難である。
【０００３】
農耕機械、建設機械等の走行移動物体の位置特定及び走行経路の精度向上においてもＧＰＳ測位技術が用いられ、ガイダンス装置、自動操舵装置との連動により一定の精度で利用されており、今後の普及可能性が高くなっている。しかしながら、現時点で農耕用機材等の移動物体に長時間適用するには、上記何れの方法を用いてもコスト及び精度の点で十分ではない。
【０００４】
そこで、コスト及び高精度に対する課題を解決するために、走行移動物体を運行させる目的の農耕等対象地域内において、適切な位置に建設する任意の複数ＲＴＫ方式の固定基地局とネットワーク回線網と、移動物体上に搭載するシステム端末と、中央制御装置及び高精度位置・センサ統合情報蓄積装置とからなるシステムを構築し、走行移動物体上で高精度の位置補正情報を抽出・生成することが考えられる。この方式により、測位目標走行移動物体の位置特定及び走行経路の高精度化においてコスト及び高精度化の双方課題を実現できると共に、高精度位置情報とセンサ情報を統合して蓄積し、更に活用することが可能となる。
【先行技術文献】
【特許文献】
【０００５】
【特許文献１】特開２００７−１２７６６５号公報
【発明の概要】
【発明が解決しようとする課題】
【０００６】
現在、日本国内では人口の減のため、例えば農業分野等では高齢化の傾向が強く農業の担い手が減少し、並行して一耕作単位当たりの面積が拡大すると共に国際競争力向上のために農業等の作業対象面積が益々大規模化している。一方、農耕機材等を用いた耕作等の作業機材の運行に当たっては、大規模農場を高精度で農耕機材を走行させる必要があり、熟練運転者が逼迫する傾向は著しく、対策として自動操舵の導入により大規模・省力化を図る試みが始められている。
【０００７】
農地等での自動操舵走行にはＧＰＳ等の測位技術利用が必須である。通常、自動車に搭載されているナビゲーションシステムは基本精度が１０ｍであるところを道路地図との連動により実用に供している。しかしながら、農耕等に必要な精度は、畝と畝間の走行経路を逸脱しないよう、ｃｍ（センチメートル）クラスの精度が必要である。この必要基本精度から、また、農業地域では道路又は位置の特定に用いられる建築構造物が極めて少ないことからも、従来のナビゲーションシステムを適用することは実用精度の観点から困難である。
【０００８】
ＧＰＳを利用する高精度化実現方法の一つとしては、ＲＴＫ方式が広く用いられている。ＲＴＫ方式は、理論的にも測量用位置情報サービスの面からもｃｍクラスの精度の測位が可能である。ＲＴＫ方式は、国土地理院にも認められ、全国で利用可能な測量用位置情報サービスにも適用されている。この測量用位置情報サービスの測量以外の利用分野として、農耕機材等の高精度位置特定及び走行経路の高精度化がある。しかしながら、測量と異なり、農耕等は農業繁忙期等の２４時間稼動を始め、年間の利用時間も多く、利用コスト面から測量用位置情報サービスを農業等に継続的に利用することは現実的ではない課題がある。
【０００９】
ｃｍクラスの高精度を要求する分野例として、農耕等の対象地域においてＲＴＫ技術を用い、更にコストを下げる方法としては、ＲＴＫ基地局方式がある。これは、農耕等の対象地域をカバーする領域単位にＲＴＫ方式の固定基地局を建設し、基地局で測位される衛星情報によるＲＴＫ位置補正情報を地域内で稼動する農耕機材等の走行移動物体に無線等で配信し、走行移動物体において衛星受信機材等を搭載することにより得られる衛星測位情報とＲＴＫ位置補正情報を用いることにより、位置情報を高精度化し、ｃｍクラスの高精度の位置情報を検出可能とするものである。
【００１０】
ＲＴＫ方式の固定基地局を農業用等に地域に建設することで、測量用位置情報サービスを継続利用することに比べ、コストが改善される。しかし、このＲＴＫ基地局方式は、ＲＴＫ方式の特徴として固定基地局とＲＴＫ位置補正情報を受信する走行移動物体との距離（基線距離）が長距離になるに従い、誤差が拡大し精度が悪化する。地域の環境により精度の悪化状況は異なるが、約５ｋｍ（キロメートル）内外の範囲内で十分なｃｍクラス精度が得られ、１０ｋｍ以上の距離では必要な精度が得られ難くなる。特に走行データを蓄積し、そのデータを復元して次の農耕等工程に用いる場合は、誤差が積み重なり、精度は更に悪化する課題がある。
【００１１】
ＲＴＫ基地局方式では、従来、測位対象の走行移動物体は、１局のＲＴＫ方式の固定基地局からの位置補正信号を取得して、走行移動物体の位置精度を高精度化させている。走行移動物体が取得する位置補正信号が１局の固定基地局である理由は、一例として建設分野においては、建設機械が測位される対象走行移動物体となり、この建設機械等の走行移動物体は、建設工事地域内に限定して移動し、かつ移動期間は工事期間中に特定されているからである。したがって、工事対象地域を網羅するに適した位置を選び、その場所に臨時にＲＴＫ方式の固定基地局を１局設置すれば、必要十分なＲＴＫ位置補正情報を利用できる。
【００１２】
また、一例として農業分野では、トラクタ等農業機械が測位対象走行移動物体となり、トラクタ等は農地に直接関係付けられて対象農地内で移動するため、１つのＲＴＫ方式の固定基地局からのＲＴＫ位置補正情報により、必要十分な位置情報を取得できるからである。農地等を保有する自治体の地域全域でＲＴＫ位置情報を活用する場合でも同様であり、トラクタ等の走行移動物体は、１局のＲＴＫ方式の固定基地局を利用可能であれば、必要十分な位置情報を得ることができる。
【００１３】
しかしながら、農地等が大規模になるに連れ、一農業経営単位毎に大型農業機械を個々に備えることの経済性の問題から、個々の農業経営体で農業耕作工程毎に異なる大型農業機械を保有、効率的に使用し続けることが困難となっている。そのため、コントラクタと称する組織体が発生しつつある。
【００１４】
コントラクタは大型農業機械を多数保有し、各農業経営体から要請される農業耕作工程を請負、要請に応じて保有農業機械を割り当て、広範囲を移動しつつ要請された耕作を行なう。コントラクタでも熟練者確保が困難なことから高精度位置情報を用いた自動操舵走行を試みようとの動きがある。コントラクタでは次の二つの観点から農耕機材等測位対象走行移動物体が１基地局を用いて位置精度を生成することに問題が生じる。
【００１５】
その第一の理由は、コントラクタが請け負う農耕地域は１農業経営体が保有する農地面積を複数集合させるため農耕面積が広大で、かつ、農耕工程を請負、農業機械等を走行させる操舵者が、その都度変化する。そのために、操舵者にとっては熟練した操舵技量を要求されるか、自動操舵走行精度が頼りとなり、遠距離を移動しつつ位置精度を１基地局から得て走行させる場合には、精度の問題が発生する。特に春の走行データを復元し、夏の除草等に用いる場合に、精度の誤差が二重に重なり、誤差が大きくなるという問題が生じる。
【００１６】
第二の理由は、コントラクタ組織は請負であるため、代価を明確にする必要があり、そのためには、請け負った地域の位置特定と畝単位等の耕作等、作業内容・作業量の明確な計数化が必要である。計数化のためには位置情報の記録と精度が重要であり、１つのＲＴＫ固定基地局と農機等測位対象走行移動物体の距離が長距離となる場合に発生するＲＴＫ状態からの逸脱、精度の悪化が問題となる。
【００１７】
農業等では大規模・省力化の推進のために農耕等の精緻な実績データを蓄積し、次期の収量拡大のために分析・活用しようとする機運がある。有用な実績データを蓄積するためには、農業等の実施状況と高精度の位置情報、センサ情報等と連動した統合情報を自動的に測定、収集しビッグデータとして効率的に蓄積することを可能とする方式が必要である。
【００１８】
この方式実現の課題の一つは、時間・センサ情報等と連動した高精度位置情報の自動収集である。現時点では、位置情報を獲得するために空撮・衛星画像利用等により画像情報を別途個別に収集し、その後に位置情報と結合させる多段階の処理が必要であり、かつ、位置情報精度は粗い課題がある。
【００１９】
上述の課題を鑑み、本発明は、広い地域をカバーし、低コストで高精度の位置計測を行える測位システム及び測位方法を提供することを目的とする。
【課題を解決するための手段】
【００２０】
上述の課題を解決するために、本発明の一態様に係る測位システムは、走行移動物体の周辺に設けられた複数の固定基地局と、前記複数の固定基地局からの位置補正情報を受信し、前記複数の固定基地局からの位置補正情報から、走行移動物体上で、高精度位置補正情報を抽出・生成する位置補正情報生成装置と、衛星からの情報を受信して走行移動物体の位置を測位する位置計測装置とを備え、前記位置補正情報生成装置は、抽出・生成した高精度位置補正情報を前記位置計測装置に供給し、前記位置計測装置は、前記位置補正情報生成装置からの高精度位置補正情報により前記走行移動物体の位置を補正して高精度位置情報を生成することを特徴とする。
【００２１】
本発明の一態様に係る測位方法は、位置補正情報生成装置が、走行移動物体の周辺に設けられた複数の固定基地局からの位置補正情報を受信し、前記複数の固定基地局からの位置補正情報から、走行移動物体上で、高精度位置補正情報を抽出・生成するステップと、前記位置補正情報生成装置からの高精度位置補正情報を位置計測装置に供給するステップと、位置計測装置が、衛星からの情報を受信して走行移動物体の位置を測位するとともに、前記位置補正情報生成装置からの高精度位置補正情報により前記走行移動物体の位置を補正して高精度位置情報を生成するステップとを含むことを特徴とする。
【発明の効果】
【００２２】
本発明によれば、複数の固定基地局からの位置補正情報から、走行移動物体上で高精度位置補正情報を抽出・生成して、計測位置を補正することにより、広い地域に渡って、低コストで、高精度の位置を計測できる。
【図面の簡単な説明】
【００２３】
【図１】本発明の実施形態に係る測位システムの概要を示す説明図である。
【図２】本発明の実施形態に係る測位システムにおける各部のネットワークの接続を示す説明図である。
【図３】本発明の実施形態に係る測位システムにおける各部のネットワークの接続を示す説明図である。
【図４】本発明の実施形態に係る測位システムにおける各部のネットワークの接続を示す説明図である。
【図５】本発明の実施形態に係る測位システムにおけるリアルモードの説明図である。
【図６】本発明の実施形態に係る測位システムにおける仮想モードの説明図である。
【図７】本発明の実施形態に係る測位システムにおけるＲＴＫ位置補正情報配信装置を構成するモジュールの説明図である。
【図８】認証モジュールでの処理を示すフローチャートである。
【図９】マルチ配信インターフェースモジュールでの処理を示すフローチャートである。
【図１０】本発明の実施形態に係る測位システムにおけるシステム端末を構成するモジュールの説明図である。
【図１１】基地局接続・受信モジュールでの処理を示すフローチャートである。
【図１２】リアルモードモジュールでの処理を示すフローチャートである。
【図１３】仮想モードモジュールでの処理を示すフローチャートである。
【図１４】ガイダンスインターフェースモジュール６５での処理を示すフローチャートである。
【図１５】高精度位置情報受信モジュールでの処理を示すフローチャートである。
【図１６】高精度位置・センサ統合情報の説明図である。
【図１７】高精度位置情報統合モジュールでの処理を示すフローチャートである。
【図１８】ネットワーク送信インターフェースモジュールでの処理を示すフローチャートである。
【図１９】本発明の第１の実施形態に係る測位システムを利用したトラクタの操舵システムの説明図である。
【発明を実施するための形態】
【００２４】
以下、本発明の実施の形態について図面を参照しながら説明する。
図１は、本発明の実施形態に係る測位システム１の概要を示す説明図である。
図１に示すように、本発明の第１の実施形態に係る測位システム１は、走行移動物体１１と、ガイダンス装置１２（位置計測装置）及び移動衛星受信機１３と、自動操舵装置１４と、システム端末（位置補正情報生成装置）１５と、ＲＴＫ方式の固定基地局１６（１６−１、１６−２、１６−３、…）と、ＲＴＫ位置補正情報配信装置１７（１７−１、１７−２、１７−３、…）と、中央制御装置１８と、高精度位置・センサ統合情報蓄積装置１９と、衛星２０（２０−１、２０−２、…）から構成される。
【００２５】
走行移動物体１１は、例えば農耕用のトラクタである。
走行移動物体１１には、ガイダンス装置１２と、移動衛星受信機１３と、自動操舵装置１４とが搭載されている。
ガイダンス装置１２は、ＧＰＳを用いて走行移動物体１１の運転操作を支援する装置である。
【００２６】
移動衛星受信機１３は、地球上を周回する複数の衛星２０（２０−１、２０−２、…）からの衛星発信情報を受信して、ガイダンス装置１２に供給する。衛星２０（２０−１、２０−２、…）としては、ＧＰＳ衛星の他に、ＧＬＯＮＡＳＳ（Ｇｌｏｂａｌ  Ｎａｖｉｇａｔｉｏｎ  Ｓａｔｅｌｌｉｔｅ  Ｓｙｓｔｅｍ；グロナス）衛星等を補助的に用いても良い。
【００２７】
ガイダンス装置１２は、ＧＰＳから取得された位置情報と、設定された圃場の情報や作業内容により走行ラインを算出し、走行移動物体１１の運転操作を支援する。なお、後に説明するように、ガイダンス装置１２の計測位置は、システム端末１５からの高精度ＲＴＫ位置補正情報により補正される。
自動操舵装置１４は、ガイダンス装置１２の制御の基に、走行移動物体１１を自動操舵する。
【００２８】
システム端末１５は、携帯電話網等の端末である。また、システム端末１５は、ＧＰＳ機能やＢｌｕｅＴｏｏｔｈ（登録商標）等の近距離無線機能を有している。システム端末１５は、複数の固定基地局１６（１６−１、１６−２、１６−３、…）からのＲＴＫ位置補正情報を受信し、高精度ＲＴＫ位置補正情報を生成し、ガイダンス装置１２に供給する。
ガイダンス装置１２は、移動衛星受信機１３からの衛星発信情報により取得された位置情報を、システム端末１５からの高精度ＲＴＫ位置補正情報により補正して、高精度位置情報を生成する。
【００２９】
なお、後に説明するように、システム端末１５での高精度ＲＴＫ位置補正情報の生成には、リアルモードと仮想モードとが選択できる。
リアルモードは、複数の実際の固定基地局１６（１６−１、１６−２、１６−３、…）からのＲＴＫ位置補正情報の中から、最も精度の高いものを選択して、高精度ＲＴＫ位置補正情報を生成するものである。
仮想モードは、複数の固定基地局１６（１６−１、１６−２、１６−３、…）からのＲＴＫ位置補正情報を使って、システム端末１５で走行移動物体１１上に仮想基地局を生成し、この仮想基地局のＲＴＫ位置補正情報により、高精度ＲＴＫ位置補正情報を生成するものである。
【００３０】
また、システム端末１５は、ガイダンス装置１２からリアルタイムで得られる高精度位置情報と、同時刻のセンサ情報（例えば収量センサ、流量センサ、エンジン回転・負荷センサ、水分センサ、窒素等土壌成分センサ等）とを統合・編集し、この統合データを高精度位置・センサ統合情報蓄積装置１９に送信する。
【００３１】
高精度位置・センサ統合情報蓄積装置１９は、システム端末１５で、統合・編集された高精度位置情報とセンサ情報との統合情報を、高精度位置・センサ統合情報として、蓄積、保存する。この高精度位置・センサ統合情報は、ビッグデータとして、次期の収量拡大のために分析・活用できる。
なお、高精度位置・センサ統合情報蓄積装置１９は、走行移動物体１１に備えられた装置であってもよいし、走行移動物体１１とは異なる任意の場所に設置された装置であってもよい。
【００３２】
固定基地局１６（１６−１、１６−２、１６−３、…）は、走行移動物体１１が走行する周囲に、複数個設置されている。固定基地局１６（１６−１、１６−２、１６−３、…）には、ＲＴＫ位置補正情報配信装置１７（１７−１、１７−２、１７−３、…）が設けられる。固定基地局１６（１６−１、１６−２、１６−３、…）は、衛星２０（２０−１、２０−２、…）からの衛星発信情報を受信する。
【００３３】
ＲＴＫ位置補正情報配信装置１７（１７−１、１７−２、１７−３、…）は、固定基地局１６（１６−１、１６−２、１６−３、…）で受信した衛星信号をＲＴＫ位置補正情報に変換して、システム端末１５に配信する。
中央制御装置１８は、システム端末１５で蓄積したシステム状態ログ情報を収集するとともに、最新プログラム情報、接続可能な端末情報等をＲＴＫ位置補正情報配信装置１７（１７−１、１７−２、１７−３、…）やシステム端末１５に送信し、システムの状態を最適化する。
【００３４】
図２、図３及び図４は、本発明の実施形態に係る測位システム１における各部のネットワークの接続を示す説明図である。
図２に示すように、固定基地局１６のＲＴＫ位置補正情報配信装置１７と、走行移動物体１１のシステム端末１５との間には、ネットワーク回線網２１が設けられる。
【００３５】
ＲＴＫ位置補正情報配信装置１７からのＲＴＫ位置補正情報は、ネットワーク回線網２１経由で、システム端末１５に配信される。ここで、走行移動物体１１の走行の対象地域は、例として農業の場合、道路、電源、通信回線等が未配備の地域も多く存在し、走行移動物体１１と固定基地局１６との間の距離は数ｋｍを越える。このことから、ネットワーク回線網２１としては、社会資本である携帯電話網を用いることが望ましい。
【００３６】
図３に示すように、走行移動物体１１には、移動衛星受信機１３と、ガイダンス装置１２と、自動操舵装置１４とが取り付けられている。また、走行移動物体１１内には、システム端末１５が備えられる。システム端末１５としては、携帯端末を用いることができる。システム端末１５とガイダンス装置１２との間の距離は数ｍ（メートル）と比較的短いことから、システム端末１５とガイダンス装置１２との間のネットワーク２２としては、例えば無線形式のＢｌｕｅｔｏｏｔｈ（登録商標）のような近接通信を用いることが望ましい。
【００３７】
また、ガイダンス装置１２と自動操舵装置１４との間の情報伝達は、走行移動物体１１内の車内ＬＡＮ（Ｌｏｃａｌ  Ａｒｅａ  Ｎｅｔｗｏｒｋ；構内通信網）２３又は有線ケーブルが用いられる。また、この車内ＬＡＮ２３には、収量センサ４１、流量センサ４２、エンジン回転・負荷センサ４３、水分センサ４４、窒素等土壌成分センサ４５等の各種のセンサが接続されている。これらのセンサ情報は、車内ＬＡＮ２３からガイダンス装置１２または直接システム端末１５に送られ、システム端末１５で収集できる。
【００３８】
図４に示すように、システムの状態を最適化するプログラム更新・ログ監視情報は、中央制御装置１８から、ネットワーク２４を通じて、固定基地局１６のＲＴＫ位置補正情報配信装置１７やシステム端末１５で送受信される。
また、システム端末１５は、高精度位置情報とセンサ情報とを統合し、高精度位置・センサ統合情報を生成する。この高精度位置・センサ統合情報は、ネットワーク２４を通じて高精度位置・センサ統合情報蓄積装置１９に送信される。このシステム内で用いるネットワーク２４としては、システムを構成する装置の位置・環境・必要コスト・必要情報量を満足するネットワークを適宜選択して用いれば良い。
【００３９】
次に、最適ＲＴＫ位置補正情報の生成処理について説明する。前述したように、本発明の第１の実施形態に係る測位システム１においては、走行移動物体１１に設けられたシステム端末１５は、複数の固定基地局１６（１６−１、１６−２、１６−３、…）からのＲＴＫ位置補正情報を受信し、これら複数の固定基地局１６（１６−１、１６−２、１６−３、…）からのＲＴＫ位置補正情報から、高精度ＲＴＫ位置補正情報を抽出・生成し、ガイダンス装置１２に供給する。
システム端末１５での高精度ＲＴＫ位置補正情報の生成には、リアルモードと仮想モードとが選択できる。まず、リアルモードについて説明する。
【００４０】
図５は、リアルモードの説明図である。
リアルモードは、実際の固定基地局１６（１６−１、１６−２、１６−３、…）からのＲＴＫ位置補正情報から、最適ＲＴＫ位置補正情報を生成するものである。図５において、点Ｑが走行移動物体１１の真値位置座標であるとする。点Ｏが走行移動物体１１の計測位置座標であるとする。また、点Ｂ１、Ｂ２、Ｂ３が固定基地局１６−１、１６−２、１６−３の位置座標であるとする。
【００４１】
この例では、固定基地局１６−３の点Ｂ３が走行移動物体１１から最も離れた位置にあり、固定基地局１６−１の点Ｂ１が次に走行移動物体１１から離れた位置にあり、固定基地局１６−２の点Ｂ２が走行移動物体１１に最も近接した位置にあるとする。計測位置座標Ｏと、真値位置座標Ｑとの差（Ｏ−Ｑ）が計測誤差Ｄｒ（Ｄｒ＝Ｏ−Ｑ）となる。この計測誤差Ｄｒが小さいほど、リアルタイムにおける走行移動物体１１の位置情報特定の精度の向上が図れる。
【００４２】
ＲＴＫ方式では、利用可能な固定基地局１６（１６−１、１６−２、１６−３、…）の中で、近傍にある固定基地局からの位置補正情報であるほど、精度の高い補正が行える。また、任意の固定基地局１６−ｎ（ｎは整数）の位置と、走行移動物体１１の位置との間の距離Ｌｒｎは、走行移動物体１１が移動するに従い変化する。この例では、固定基地局１６−２（点Ｂ２）が走行移動物体１１に最も近接しており、固定基地局１６−２からのＲＴＫ位置補正情報が最も精度が高い。
【００４３】
そこで、リアルモードの場合、システム端末１５は、走行移動物体１１と各固定基地局１６（１６−１、１６−２、１６−３、…）との間の距離をリアルタイムで計測し、固定基地局１６（１６−１、１６−２、１６−３、…）の中で最も近傍にある固定基地局からのＲＴＫ位置補正情報を、高精度ＲＴＫ位置補正情報として出力するようにしている。
【００４４】
すなわち、リアルモードでは、システム端末１５は、周囲の複数の固定基地局１６−ｎと走行移動物体１１の位置との間の距離Ｌｒｎ（Ｌｒｎ＝Ｂｎ−Ｏｎ）を計測し（ｎは整数）、距離Ｌｒｎを小さい順にシステム端末１５に表示すると共に、距離Ｌｒｎが最小となる固定基地局を選択して、最適ＲＴＫ位置補正情報とする。例えば、図５の例では、固定基地局１６−１、１６−２、１６−３と走行移動物体１１の位置との間の距離Ｌｒ１、Ｌｒ２、Ｌｒ３は、以下のようにして求められる。
【００４５】
Ｌｒ１＝Ｂ１−Ｏ
Ｌｒ２＝Ｂ２−Ｏ
Ｌｒ３＝Ｂ３−Ｏ
【００４６】
距離Ｌｒ１、Ｌｒ２、Ｌｒ３の中で、距離Ｌｒ２が最小となることから、固定基地局１６−２のＲＴＫ位置補正情報が最適ＲＴＫ位置補正情報として選択される。このように、距離が最小となる固定基地局からのＲＴＫ位置補正情報を最適ＲＴＫ位置補正情報としてガイダンス装置１２に供給することで、ガイダンス装置１２では、高精度の位置情報が生成できる。
【００４７】
次に、仮想モードについて説明する。図６は、仮想モードの説明図である。
仮想モードは、利用可能な周囲の固定基地局１６（１６−１、１６−２、１６−３、…）の情報から仮想基地局を生成し、この仮想基地局により最適ＲＴＫ位置補正情報を生成するものである。
【００４８】
図６において、点Ｑが走行移動物体１１の真値位置座標であるとする。また、点Ｂ１に固定基地局１６−１があるとし、この固定基地局１６−１の座標が（ＸＢａ，ＹＢａ，ＺＢａ）であるとする。また、点Ｂ２に固定基地局１６−２があるとし、この固定基地局１６−２の座標が（ＸＢｂ，ＹＢｂ，ＺＢｂ）であるとする。また、点Ｂ３に固定基地局１６−３があるとし、この固定基地局１６−３の座標が（ＸＢｃ，ＹＢｃ，ＺＢｃ）であるとする。また、点Ｐに仮想基地局を生成するとし、この仮想基地局の座標を（Ｘｐ，Ｙｐ，Ｚｐ）とする。
【００４９】
ＲＴＫ位置補正情報のデータ構造は、衛星距離・時間基本情報と、電離層及び対流圏を衛星情報が通過することにより発生する遅延誤差情報と、バイアス情報とからなる。ここで、固定基地局１６−１でのＲＴＫ演算の三要素（衛星距離・時間基本情報Ｆａ１、誤差情報Ｆｂ１、バイアス情報Ｆｃ１）と、固定基地局１６−２でのＲＴＫ演算の三要素（衛星距離・時間基本情報Ｆａ２、誤差情報Ｆｂ２、バイアス情報Ｆｃ２）と、固定基地局１６−３でのＲＴＫ演算の三要素（衛星距離・時間基本情報Ｆａ３、誤差情報Ｆｂ３、バイアス情報Ｆｃ３）が取得されるとする。
【００５０】
この場合、点Ｐ座標（Ｘｐ，Ｙｐ，Ｚｐ）にある点Ｐの仮想基地局でのＲＴＫ演算の三要素（衛星距離・時間基本情報ＦａＰ、誤差情報ＦｂＰ、バイアス情報ＦｃＰ）は、固定基地局１６−１、１６−２、１６−３のＲＴＫ演算の三要素（衛星距離・時間基本情報Ｆａ１、Ｆａ２、Ｆａ３、誤差情報Ｆｂ１、Ｆｂ２、Ｆｂ３、バイアス情報Ｆｃ１、Ｆｃ２、Ｆｃ３）と、固定基地局１６−１、１６−２、１６−３の座標（ＸＢａ，ＹＢａ，ＺＢａ）、（ＸＢｂ，ＹＢｂ，ＺＢｂ）、（ＸＢｃ，ＹＢｃ，ＺＢｃ）と仮想基地局の座標（Ｘｐ，Ｙｐ，Ｚｐ）とによる外挿、内挿演算により、生成できる。
【００５１】
このことから、仮想モードの場合、システム端末１５は、周囲の複数の固定基地局１６（１６−１、１６−２、１６−３、…）の情報から、走行移動物体１１上に仮想基地局を生成する。そして、この仮想基地局からのＲＴＫ位置補正情報を、最適ＲＴＫ位置補正情報とする。
【００５２】
なお、高精度位置情報は走行時にのみ使用されるだけでなく、事前に走行した時点で記録した走行位置を記録し、次に、同地点において別工程を実施する場合に流用される。事例として農業における春の走行記録データを夏等に実施する肥料散布時に復元して用いる等の場合である。走行データを蓄積し、そのデータを復元して次の農耕等工程に用いる場合は、位置情報の誤差が積み重なる。そのためには、最初の走行時に、精度の高いＲＴＫ位置補正情報を選択・抽出・生成することが重要となる。
【００５３】
リアルモードと仮想モードとを比較すると、仮想モードの場合には、仮想基地局が走行移動物体１１上に存在している。このことから、仮想基地局と走行移動物体１１との間の距離Ｌｐは、固定基地局１６（１６−１、１６−２、１６−３、…）と走行移動物体１１との間の距離Ｌｒ１、Ｌｒ２、Ｌｒ３よりも遥かに短距離となる。そのため、特に、固定基地局１６（１６−１、１６−２、１６−３、…）が遠方にある場合、仮想モードはリアルモードより高い精度が期待できる。
【００５４】
しかしながら、仮想モードはリアルモードよりも演算が複雑になる。このことから、走行移動物体１１と、利用可能な固定基地局１６（１６−１、１６−２、１６−３、…）との距離に応じて、リアルモードと仮想モードとを使い分けることが考えられる。例えば、利用可能な固定基地局１６（１６−１、１６−２、１６−３、…）と走行移動物体１１との距離が所定値以内の場合は、リアルモードを用い、利用可能な固定基地局１６（１６−１、１６−２、１６−３、…）と走行移動物体１１との距離が所定値を越える場合には、仮想モードを用いるようにしても良い。
【００５５】
以上のように、本発明の実施形態では、リアルモードと仮想モードとが設定できる。リアルモード方式では、対象地域に複数の固定基地局１６（１６−１、１６−２、１６−３、…）を建設し、測位対象の走行移動物体１１が移動する位置にリアルタイムに連動し、自動的に走行移動物体１１に最も近接する固定基地局１６−ｋを選択・抽出し、システム端末１５上に表示し、走行移動物体１１は常に最近接のＲＴＫ位置補正情報を切り替えて使用できる。このため、対象地域内において最適の高精度の位置情報を連続して得ることができる。
【００５６】
仮想モードでは、固定基地局１６（１６−１、１６−２、１６−３、…）からの情報から、測位対象の走行移動物体１１の位置に、システム端末１５内で直接、仮想基地局を構成し、仮想ＲＴＫ位置補正情報を生成する。固定基地局１６（１６−１、１６−２、１６−３、…）と走行移動物体１１との距離が長距離となった場合でも、高精度の位置情報を利用できる。
【００５７】
また、本発明の実施形態における仮想モードでは、測量用位置情報サービスを提供する公的座標値を用いる大型センタ処理やネットワーク経由の送受信方式と異なり、地域内で共通な固定基地局１６（１６−１、１６−２、１６−３、…）の既知基地局座標値を用いるため、公共座標値への変換演算は不要である。
【００５８】
また、走行移動物体１１上の位置に即したＲＴＫ位置補正情報をシステム端末１５上で直接生成するため、ネットワーク介在の必要がなく、ネットワーク接続・伝送時間遅れロスが回避されると共に、圧倒的なシステムの簡素化が図れ、かつ農業等で要求される高精度を満足し同時にコストの課題も解消できる。
【００５９】
図７は、ＲＴＫ位置補正情報配信装置１７を構成するモジュールの説明図である。
図７に示すように、ＲＴＫ位置補正情報配信装置１７は、固定衛星情報受信部５１と、補正情報配信部５２とにより構成される。
【００６０】
固定衛星情報受信部５１は、位置を正確に測位し基地局として用いる。固定衛星情報受信部５１としては、マルチ衛星マルチ周波数の受信機を用いることが望ましい。また、固定衛星情報受信部５１は、ＲＴＫ信号をＲＴＣＭ（Ｒａｄｉｏ  Ｔｅｃｈｎｉｃａｌ  Ｃｏｍｍｉｓｓｉｏｎ  ｆｏｒ  Ｍａｒｉｔｉｍｅ  Ｓｅｒｖｉｃｅｓ；海事業務無線技術委員会）形式等により生成する。
【００６１】
補正情報配信部５２は、認証モジュール５３とマルチ配信インターフェースモジュール５４と、端末情報テーブル５５とにより構成される。認証モジュール５３は、中央制御装置１８からのプログラム更新情報を受け取り、補正情報配信部５２のプログラムを最新状態に更新する。また、認証モジュール５３は、中央制御装置１８からの接続許可端末ＩＤの情報を受け取り、端末情報テーブル５５を最新状態に更新する。
【００６２】
また、認証モジュール５３は、走行移動物体１１上に搭載するシステム端末１５から位置補正情報配信要求が到着した時点で、システム端末１５のＩＤ（Ｉｄｅｎｔｉｆｉｅｒ；識別子）等のセキュリティ情報チェックを行ない、適正なシステム端末１５と判断した時に接続を許可する。マルチ配信インターフェースモジュール５４は、固定衛星情報受信部５１から受け取るＲＴＫ位置補正情報を、接続している複数のシステム端末１５に配信する。端末情報テーブル５５には、接続許可端末ＩＤの情報が格納される。
【００６３】
図８は、認証モジュール５３での処理を示すフローチャートである。認証モジュール５３は、手動起動又は時間起動によりモジュール動作を開始する（ステップＳ１０１）。
【００６４】
認証モジュール５３は、中央制御装置１８をアクセスし、プログラム又は端末情報更新の有無を確認する（ステップＳ１０２）。
【００６５】
未更新のプログラムがある場合には（ステップＳ１０３：Ｙｅｓ）、認証モジュール５３は、中央制御装置１８から補正情報配信プログラムをダウンロードして更新し（ステップＳ１０４）、処理をステップＳ１０２に戻す。
【００６６】
また、未更新の端末情報がある場合には（ステップＳ１０５：Ｙｅｓ）、認証モジュール５３は、中央制御装置１８からの情報により、端末情報テーブル５５の接続許可ＩＤを更新し（ステップＳ１０６）、処理をステップＳ１０２に戻す。
【００６７】
未更新のプログラムがなく（ステップＳ１０３：Ｎｏ）、未更新の端末情報がない場合には（ステップＳ１０５：Ｎｏ）、認証モジュール５３は、システム端末１５からの配信要求イベントの発生の有無を、時間起動により又は周期的に調査する（ステップＳ１０７）。
【００６８】
配信要求イベントがあれば（ステップＳ１０８：Ｙｅｓ）、認証モジュール５３は、端末情報テーブル５５の接続許可ＩＤを確認する（ステップＳ１０９）。
【００６９】
配信要求イベントがなければ（ステップＳ１０８：Ｎｏ）、認証モジュール５３は、ステップＳ１０７に処理を戻す。
【００７０】
ステップＳ１１０で、端末情報テーブル５５に接続許可ＩＤがあると判定されると（ステップＳ１１０：Ｙｅｓ）、認証モジュール５３は、端末情報テーブル５５の配信許可ステータスをオンにし（ステップＳ１１１）、処理をマルチ配信インターフェースモジュール５４に渡す（ステップＳ１１２）。
【００７１】
ステップＳ１１０で、端末情報テーブル５５に接続許可ＩＤがないと判定されると（ステップＳ１１０：Ｎｏ）、認証モジュール５３は、処理をステップＳ１０７に戻す。
【００７２】
図７において、マルチ配信インターフェースモジュール５４は、固定衛星情報受信部５１から受け取るＲＴＫ位置補正情報をネットワーク送信フォーマット（ＮＴＲＩＰ（Ｎｅｔｗｏｒｋｅｄ  Ｔｒａｎｓｐｏｒｔ  ｏｆ  ＲＴＣＭ  ｖｉａ  Ｉｎｔｅｒｎｅｔ  Ｐｒｏｔｏｃｏｌ）型式）等に成形する。マルチ配信インターフェースモジュール５４は、ＲＴＫ位置補正情報の連続ストリ−ムを、接続しているシステム端末１５の数量分だけ生成し、システム端末１５に配信する。
【００７３】
図９は、マルチ配信インターフェースモジュール５４での処理を示すフローチャートである。
マルチ配信インターフェースモジュール５４は、モジュール動作を開始する（ステップＳ２０１）。マルチ配信インターフェースモジュール５４は、固定衛星情報受信部５１からのＲＴＫ位置補正情報を連続的に受信し（ステップＳ２０２）、固定衛星情報受信部５１からのＲＴＫ位置補正情報を、ネットワークで配信できるＮＴＲＩＰ形式に変換する（ステップＳ２０３）。
【００７４】
マルチ配信インターフェースモジュール５４は、端末情報テーブル５５の配信許可ステータスがオンになっているものがあるかどうかを周期的に確認する（ステップＳ２０４）。
【００７５】
端末情報テーブル５５の配信許可ステータスがオンになっているものがあれば（ステップＳ２０５：Ｙｅｓ）、マルチ配信インターフェースモジュール５４は、端末情報テーブル５５の配信許可ステータスがオンになっているシステム端末１５を対象に、ＮＴＲＩＰ形式のＲＴＫ位置補正情報を連続配信する（ステップＳ２０６）。
【００７６】
マルチ配信インターフェースモジュール５４は、モジュール停止イベントが発生しているか否かを確認する。
モジュール停止イベントが発生していない場合には（ステップＳ２０７：Ｎｏ）、マルチ配信インターフェースモジュール５４は、処理をステップＳ２０４に戻す。
モジュール停止イベントが発生している場合には（ステップＳ２０７：Ｙｅｓ）、マルチ配信インターフェースモジュール５４は、モジュール動作を終了する。
【００７７】
図１０は、システム端末１５を構成するモジュールの説明図である。
図１０において、システム端末１５は、高精度補正情報生成部６１と高精度位置情報統合部６２により構成される。
高精度補正情報生成部６１は、基地局接続・受信モジュール６３と、高精度位置補正情報抽出・生成モジュール６４と、ガイダンスインターフェースモジュール６５とにより構成される。
【００７８】
基地局接続・受信モジュール６３は、複数の固定基地局１６（１６−１、１６−２、１６−３、…）からの位置補正情報を受信し、リアルモード動作と仮想モード動作を選択する。図１１は、基地局接続・受信モジュール６３での処理を示すフローチャートである。
【００７９】
基地局接続・受信モジュール６３は、モジュール動作を開始する（ステップＳ３０１）。
【００８０】
システム端末１５のスイッチをオンすると（ステップＳ３０２）、基地局接続・受信モジュール６３は、接続対象となる複数の固定基地局１６（１６−１、１６−２、１６−３、…）に接続要求を送る（ステップＳ３０３）。なお、システム端末１５のスイッチは、走行移動物体１１で高精度走行開始時にオンされる。
【００８１】
基地局接続・受信モジュール６３は、全ての接続対象となる固定基地局１６（１６−１、１６−２、１６−３、…）に接続要求を送信したかどうかを判定し（ステップＳ３０４）、全ての接続対象となる固定基地局１６（１６−１、１６−２、１６−３、…）に接続要求を送信していなければ（ステップＳ３０４：Ｎｏ）、処理をステップＳ３０３に戻す。
【００８２】
全ての接続対象となる固定基地局１６（１６−１、１６−２、１６−３、…）に接続要求を送信していれば（ステップＳ３０４：Ｙｅｓ）、基地局接続・受信モジュール６３は、複数の接続許可となる固定基地局１６（１６−１、１６−２、１６−３、…）から、複数のＲＴＫ位置補正情報を連続受信する（ステップＳ３０５）。
【００８３】
基地局接続・受信モジュール６３は、位置補正情報の生成モード（リアルモード又は仮想モード）を決定する（ステップＳ３０６）。位置補正情報の生成モードは、システム端末１５への入力操作により設定できる。
【００８４】
ステップＳ３０７で、リアルモードであると判定された場合には、基地局接続・受信モジュール６３は、リアルモードモジュール６６に処理を移し（ステップＳ３０８）、仮想モードであると判定された場合には、基地局接続・受信モジュール６３は、仮想モードモジュール６７に処理を移す（ステップＳ３０９）。
【００８５】
図１０において、高精度位置補正情報抽出・生成モジュール６４は、リアルモードモジュール６６と、仮想モードモジュール６７とより構成される。
【００８６】
リアルモードモジュール６６は、接続対象となる複数の固定基地局１６（１６−１、１６−２、１６−３、…）とシステム端末１５との距離を求め、最も基線距離の短い固定基地局を自動的かつ動的にシステム端末１５の表示画面の最上部等に順に表示し、精度の高い走行位置データを得られる固定基地局１６−ｋを選択・抽出可能とする。
【００８７】
そして、リアルモードモジュール６６は、選択可能な複数の固定基地局１６（１６−１、１６−２、１６−３、…）の中から最短基線となる１つの固定基地局１６−ｋを抽出し、最適ＲＴＫ位置補正情報のデータストリームとして連続受信可能とする。
【００８８】
図１２は、リアルモードモジュール６６での処理を示すフローチャートである。リアルモードモジュール６６は、モジュール動作を開始する（ステップＳ４０１）。
【００８９】
リアルモードモジュール６６は、システム端末１５内のＧＰＳ位置情報を時間起動で周期的に取得する（ステップＳ４０２）。
【００９０】
リアルモードモジュール６６は、接続許可となる複数の固定基地局１６（１６−１、１６−２、１６−３、…）の位置情報と、システム端末１５内のＧＰＳ位置情報とから、各固定基地局１６（１６−１、１６−２、１６−３、…）とシステム端末１５との間の基線距離を演算する（ステップＳ４０３）。
【００９１】
リアルモードモジュール６６は、システム端末１５の画面に、基線距離が近接している順に、複数の固定基地局１６（１６−１、１６−２、１６−３、…）を表示し（ステップＳ４０４）、基線距離が最も近接している固定基地局１６−ｋを選択する（ステップＳ４０５）。
【００９２】
そして、リアルモードモジュール６６は、最も近接している固定基地局を抽出し、送信ステータスを付与し（ステップＳ４０６）、ガイダンスインターフェースモジュール６５に処理を渡す（ステップＳ４０７）。
【００９３】
図１０において、仮想モードモジュール６７は、走行移動物体１１の位置に仮想基地局を生成し、選択可能な複数の固定基地局１６（１６−１、１６−２、１６−３、…）から基線距離が短くなる複数の固定基地局１６（１６−１、１６−２、１６−３、…）を抽出し、その複数の位置補正情報をデータストリームとして並行受信する。複数の固定基地局１６（１６−１、１６−２、１６−３、…）のＲＴＫ位置補正情報と仮想基地局の座標位置から仮想ＲＴＫ位置補正情報を内挿、外挿により演算し生成する。
【００９４】
図１３は、仮想モードモジュール６７での処理を示すフローチャートである。
仮想モードモジュール６７は、モジュール動作を開始する（ステップＳ５０１）。
仮想モードモジュール６７は、システム端末１５内の現在のＧＰＳ位置情報を取得する（ステップＳ５０２）。
【００９５】
仮想モードモジュール６７は、接続が許可された複数の固定基地局１６（１６−１、１６−２、１６−３、…）の位置情報と、システム端末１５内の現在のＧＰＳ位置情報から、各固定基地局１６（１６−１、１６−２、１６−３、…）とシステム端末１５との間の基線距離と方向を演算する（ステップＳ５０３）。
【００９６】
仮想モードモジュール６７は、基線距離と方向から、仮想基地局の生成元となる複数の固定基地局１６（１６−１、１６−２、１６−３、…）を選択する（ステップＳ５０４）。
仮想モードモジュール６７は、システム端末１５内のＧＰＳ位置情報を仮想基地局の座標値に設定する（ステップＳ５０５）。
【００９７】
仮想モードモジュール６７は、選択している複数の固定基地局１６（１６−１、１６−２、１６−３、…）のＲＴＫ位置補正情報から、その固定基地局の座標値と、ＲＴＫ演算の三要素（衛星距離・時間基本情報、誤差情報、バイアス情報）を取得する（ステップＳ５０６）。
【００９８】
仮想モードモジュール６７は、選択している複数の固定基地局１６（１６−１、１６−２、１６−３、…）の座標と、仮想基地局の座標とによる外挿、内挿演算により、仮想基地局のＲＴＫ位置補正情報（衛星距離・時間基本情報、誤差情報、バイアス情報）を生成する（ステップＳ５０７）。
【００９９】
仮想モードモジュール６７は、仮想基地局のＲＴＫ位置補正情報に送信ステータスを付与し（ステップＳ５０８）、ガイダンスインターフェースモジュール６５に処理を移す（ステップＳ５０９）。
【０１００】
図１０において、ガイダンスインターフェースモジュール６５は、高精度位置補正情報抽出・生成モジュール６４が抽出又は生成した位置補正情報を受け取り、ガイダンスに合致したインターフェースに成形して、最適ＲＴＫ位置補正情報として送信する。また、ガイダンスインターフェースモジュール６５は装置内の各種状態をロギング・蓄積する。
【０１０１】
図１４は、ガイダンスインターフェースモジュール６５での処理を示すフローチャートである。
ガイダンスインターフェースモジュール６５は、モジュール動作を開始する（ステップＳ６０１）。ガイダンスインターフェースモジュール６５は、送信ステータスのあるＲＴＫ位置補正情報を取得する（ステップＳ６０２）。
【０１０２】
ガイダンスインターフェースモジュール６５は、ガイダンス装置１２のインターフェースに送信型式を整合し（ステップＳ６０３）、最適ＲＴＫ位置補正情報をガイダンス装置１２に送信する（ステップＳ６０４）。
【０１０３】
ガイダンスインターフェースモジュール６５は、モジュール停止イベントが発生しているか否かを確認する。
モジュール停止イベントが発生していない場合には（ステップＳ６０５：Ｎｏ）、ガイダンスインターフェースモジュール６５は、処理をステップＳ６０２に戻す。
モジュール停止イベントが発生している場合には（ステップＳ６０５：Ｙｅｓ）、ガイダンスインターフェースモジュール６５は、モジュール動作を終了する。
【０１０４】
図１０において、高精度位置情報統合部６２は、高精度位置情報受信モジュール６８と、高精度位置情報統合モジュール６９と、ネットワーク送信インターフェースモジュール７０とにより構成される。
【０１０５】
高精度位置情報受信モジュール６８は、走行移動物体１１のガイダンス装置１２で生成された高精度位置情報を受信し、一旦蓄積する。
【０１０６】
図１５は、高精度位置情報受信モジュール６８での処理を示すフローチャートである。
高精度位置情報受信モジュール６８は、モジュール動作を開始する（ステップＳ７０１）。
【０１０７】
高精度位置情報受信モジュール６８は、ガイダンスインターフェースモジュール６５からガイダンス装置１２の出力情報を受信する（ステップＳ７０２）。
高精度位置情報受信モジュール６８は、ガイダンス装置１２の出力情報から、高精度位置情報を抽出する（ステップＳ７０３）。
【０１０８】
高精度位置情報受信モジュール６８は、衛星時刻と高精度位置情報を記録し（ステップＳ７０４）、高精度位置情報統合モジュール６９に処理を移す（ステップＳ７０５）。
【０１０９】
図１０において、高精度位置情報統合モジュール６９は、時刻単位の高精度位置情報に対し、走行移動物体１１に搭載された各種センサ等からの同時刻センサ収集情報を高精度位置情報と統合・編集する。
【０１１０】
つまり、図１６は、高精度位置・センサ統合情報の説明図である。高精度位置情報受信モジュール６８は、衛星時刻と高精度位置情報をガイダンス装置１２の出力情報から、ガイダンスインターフェースモジュール６５を介して取得し、高精度位置情報統合モジュール６９に送る。
【０１１１】
高精度位置情報統合モジュール６９は、図１６（Ａ）に示すように、衛星時刻（ｔ１）と高精度位置情報（Ｈｘｙｚ）とを取得する。また、図１６（Ｂ）に示すように、高精度位置情報統合モジュール６９は、収量センサ４１、流量センサ４２、エンジン回転・負荷センサ４３、水分センサ４４、窒素等土壌成分センサ４５等のセンサ情報から、センサＩＤとセンサ情報のセット（Ｃ１及びＣ１ｄａｔａ、Ｃ２及びＣ２ｄａｔａ、…）を取得する。
【０１１２】
そして、高精度位置情報統合モジュール６９は、図１６（Ｃ）に示すように、衛星時刻（ｔ１）をキーとして、高精度位置情報（Ｈｘｙｚ）と、センサＩＤとデータとのセット（Ｃ１及びＣ１ｄａｔａ、Ｃ２及びＣ２ｄａｔａ、…）とから統合データを生成する。
そして、高精度位置情報統合モジュール６９は、図１６（Ｄ）に示すように、この統合データに、走行エリア情報（Ａｎ）、走行移動物体ＩＤ（Ｒｎ）、および走行操舵者（Ｍｎ）等の付加情報を付加し、高精度位置・センサ統合情報とする。この高精度位置・センサ統合情報は、ネットワーク２４を通じて高精度位置・センサ統合情報蓄積装置１９に送信される。
【０１１３】
図１７は、高精度位置情報統合モジュール６９での処理を示すフローチャートである。
高精度位置情報統合モジュール６９は、モジュール動作を開始する（ステップＳ８０１）。
【０１１４】
高精度位置情報統合モジュール６９は、収量センサ４１、流量センサ４２、エンジン回転・負荷センサ４３、水分センサ４４、窒素等土壌成分センサ４５等のセンサ情報を取得する（ステップＳ８０２）。
高精度位置情報統合モジュール６９は、センサ情報に衛星時刻をタイムスタンプし、衛星時刻を先頭情報に、センサＩＤとセンサデータとの複数の情報セットをグループ化する（ステップＳ８０３）。
【０１１５】
高精度位置情報統合モジュール６９は、衛星時刻をキーとして、高精度位置情報と、センサＩＤとデータ・セットを統合する（ステップＳ８０４）。
高精度位置情報統合モジュール６９は、統合データに、走行エリア情報、走行移動物体ＩＤ、走行操舵者等の付加情報を付加し、高精度位置・統合情報として、一時格納エリアに格納する（ステップＳ８０５）。
そして、高精度位置情報統合モジュール６９は、ネットワーク送信インターフェースモジュール７０に処理を移す（ステップＳ８０６）。
【０１１６】
図１０において、ネットワーク送信インターフェースモジュール７０は、統合・編集データを一定時間帯毎に集積し、高精度位置・センサ統合情報蓄積装置１９のインターフェースに成形し送信する。
【０１１７】
図１８は、ネットワーク送信インターフェースモジュール７０での処理を示すフローチャートである。
ネットワーク送信インターフェースモジュール７０は、モジュール動作を開始する（ステップＳ９０１）。
【０１１８】
ネットワーク送信インターフェースモジュール７０は、送信イベントの有無及び送信ブロック単位を確認する（ステップＳ９０２）。
【０１１９】
送信イベントがない場合には（ステップＳ９０３：Ｎｏ）、ネットワーク送信インターフェースモジュール７０は、処理をステップＳ９０２に戻す。
送信イベントがある場合には（ステップＳ９０３：Ｙｅｓ）、ネットワーク送信インターフェースモジュール７０は、送信ブロック単位で、高精度位置・センサ統合情報を一時格納エリアから読み出す（ステップＳ９０４）。
【０１２０】
そして、ネットワーク送信インターフェースモジュール７０は、高精度位置・センサ統合情報を送信対象ネットワーク・インターフェースに合わせてフォーマットを整合し（ステップＳ９０５）、高精度位置・センサ統合情報蓄積装置１９に送信する（ステップＳ９０６）。
【０１２１】
ネットワーク送信インターフェースモジュール７０は、モジュール停止イベントが発生しているか否かを確認する。
モジュール停止イベントが発生していない場合には（ステップＳ９０７：Ｎｏ）、ネットワーク送信インターフェースモジュール７０は、処理をステップＳ９０２に戻す。
モジュール停止イベントが発生している場合には（ステップＳ９０７：Ｙｅｓ）、ネットワーク送信インターフェースモジュール７０は、モジュール動作を終了する。
【０１２２】
図１９は、本発明の第１の実施形態に係る測位システムを利用したトラクタの操舵システムの説明図である。
広大な農地（畑作・水田・酪農）では農業人口の減少及び拡大する農地面積に対抗し、大規模・省力化・高精度農耕を行なうために、大型のトラクタに自動操舵機構を搭載し、トラクタによる農作業の作業効率の改善が望まれている。そのためには、ＧＰＳを利用したガイダンス装置における計測位置精度の向上が望まれる。
【０１２３】
図１９において、走行移動物体１１としてのトラクタの運行範囲内には、複数の共用の固定基地局１６（１６−１、１６−２、１６−３、…）を構築するとともに、走行移動物体１１にはシステム端末１５を設けている。
【０１２４】
システム端末１５は、複数の固定基地局１６（１６−１、１６−２、１６−３、…）からのＲＴＫ位置補正情報を受信し、リアルモード又は仮想モードにより、高精度ＲＴＫ位置補正情報を生成し、ガイダンス装置１２に供給する。ガイダンス装置１２は、移動衛星受信機１３からの衛星発信情報により取得された位置情報を、システム端末１５からの高精度ＲＴＫ位置補正情報により補正して、高精度位置情報を生成し、自動操舵装置１４により、自動操舵を行なう。
【０１２５】
このように、ＧＰＳを用いてトラクタを自動操舵することで、農作業の負担を大幅に削減できる。また、トラクタの操舵をガイダンス装置１２で補助することで、未熟練者でも、熟練者と同等な作業を行なることが期待できる。
【０１２６】
また、システム端末１５は、ガイダンス装置１２からリアルタイムで得られる高精度位置情報と、同時刻のセンサ情報（例えば収量センサ、流量センサ、エンジン回転・負荷センサ、水分センサ、窒素等土壌成分センサ等）とを統合・編集して、高精度位置・センサ統合情報蓄積装置１９に送信する。
【０１２７】
固定基地局１６（１６−１、１６−２、１６−３、…）は、広大な農地８１を取り囲む位置に分散して建設される。コストを抑えて高精度位置情報を活用するためには、共用の固定基地局１６（１６−１、１６−２、１６−３、…）の活用が効果的であり、その場合、複数の固定基地局１６（１６−１、１６−２、１６−３、…）が農機の運転における安全対策上のバックアップ基地局の役割も果たすことができる。
【０１２８】
春等の農耕開始時点での播種には、特に高精度直線走行性能が必要であり、誤差を可能な限り少なくした状態でのＲＴＫ補正位置情報の生成が効果的である。春の播種走行データを復元して、農薬散布等に用いる場合には、特に復元データの誤差が課題である。
【０１２９】
農業地域は都市と異なり、電源設備、通信回線設備、システム設備の安全運用が確保できる場所が限られる。そこで、固定基地局１６は、公的な位置付けとなる建物に設けることが望まれる。この例では、固定基地局１６−１は、役場本庁舎８２に設けられる。固定基地局１６−２は、役場支所庁舎８３に設けられる。固定基地局１６−３は、農業共同組合庁舎８４に設けられる。
【０１３０】
なお、システム全体を最新状態に管理する中央制御装置１８や、高精度位置・センサ統合情報蓄積装置１９は、セキュリティ確保から、公的な位置付けとなる機関に設定することが望まれる。中央制御装置１８及び高精度位置・センサ統合情報蓄積装置１９は、農業共同組合の電算室本庁舎８５等に設置することが望ましい。
【０１３１】
走行移動物体１１へのネットワーク回線網２１としては、自前のネットワーク回線網を構築するよりも、社会資本である携帯電話網の設備を流用することがコスト、性能面で望ましい。
【０１３２】
走行移動物体１１には、移動衛星受信機１３、ガイダンス装置１２、自動操舵装置１４が搭載される。更に、走行移動物体１１には、複数の固定基地局１６（１６−１、１６−２、１６−３、…）とシステム端末１５とにより、位置補正情報が提供される。
【０１３３】
システム端末１５は、走行移動物体１１の位置と固定基地局１６（１６−１、１６−２、１６−３、…）との距離に応じて、どの固定基地局１６（１６−１、１６−２、１６−３、…）の情報を用いると最も精度が高いかを判定し、最も精度の高い固定基地局１６−ｋを選択・抽出し、システム端末１５の画面に表示している。システム端末１５では、リアルモードを用いるか、仮想モードを用いるかの区分が可能である。
【０１３４】
例えば、範囲ＡＲ１、ＡＲ２、ＡＲ３で示すように、走行移動物体１１と利用可能な固定基地局１６（１６−１、１６−２、１６−３、…）との距離が５ｋｍ内外等の場合は、リアルモードを用い、走行移動物体１１と利用可能な固定基地局１６（１６−１、１６−２、１６−３、…）との距離が１０ｋｍを越える場合には、仮想モードを用いることが考えられる。システム端末１５内の演算量は、リアルモードの方が少なく、高速で利用可能となる。
【０１３５】
走行移動物体１１を新たに追加する場合には、新たな走行移動物体１１に端末ＩＤが付加され、この端末ＩＤに対応して、中央制御装置１８によりＩＤの更新が行なわれる。プログラムの機能改善等更新については、必要時に中央制御装置１８から更新プログラムがシステム内装置に送られる。
【０１３６】
また、システム端末１５は、ガイダンス装置１２からリアルタイムで得られる高精度位置情報と、同時刻のセンサ（水分センサ、窒素濃度センサ、肥料・薬剤等流量センサ、収穫量センサ、エンジン回転・負荷センサ）情報とを統合・編集して、高精度位置・センサ統合情報蓄積装置１９に蓄積している。
また、中央制御装置１８には、システム端末１５で蓄積したシステム状態ログ情報が保存されている。中央制御装置１８に蓄積されたデータを使うことで、システムの安定動作を確実にし、高精度位置・センサ統合情報蓄積装置１９に蓄積されたデータを使うことでより高精度位置情報の利用可能性を拡大できるようにしている。
【０１３７】
走行開始時にセンサ動作をオンとして自動走行させることにより、リアルタイムで畝単位又は時間（秒）単位の高精度位置とセンサ収集データをシステム端末１５で統合することができる。高精度位置・センサ統合情報蓄積装置１９の情報は必要によりリアルタイムで、又は畝単位走行あるいは当日の農地耕作完了時に、システム端末１５により、高精度位置・センサ統合情報蓄積装置１９から取得できる。
【０１３８】
春の播種時期は特に精度が要求され、その後の種の成長により必要となるあらゆる農耕工程が播種の精度に要求されるため熟練農業従事者により走行し、その走行経路ログデータを記録する。夏等の工程では、非熟練者でも春の熟練者の走行ログデータを読み出し、走行移動物体１１を自動操舵させることで、効率・精度共に良好な大規模・省力化農耕が可能となる。
【０１３９】
本発明の実施形態によれば、走行移動物体１１が走行する環境上で最適なＲＴＫ位置補正情報を選択・抽出・生成して供給できるために、どのような種類のガイダンス装置１２や自動操舵装置１４にも接続でき、かつ高精度にできる補正情報を供給できる。地域により様々なベンダの機材を用いている場合でも適用可能であるため、新たな高精度位置情報の利用を促進する効果がある。
【０１４０】
また、本発明の実施形態によれば、個別の既存のＲＴＫの固定基地局１６が建設されている地域においても、システム端末１５を接続し、既存のＲＴＫ受信機等の資産を流用して走行移動物体１１の走行に適用できる。そのため、既存の固定基地局１６の建設地域を含め、利用者間の共有が可能であり、高精度位置情報の共用利用を促進する効果がある。
【０１４１】
また、本発明の実施形態によれば、ＲＴＫ基地局方式では、精度を確保するためには、固定基地局１６と走行移動物体１１間の基線距離が一定間隔内となるように、固定基地局１６を建設する必要がある。本発明の実施形態によれば、仮想化により基線距離を長距離化することが可能であり、共用の固定基地局１６の建設コストを低減化できる。
【０１４２】
また、本発明の実施形態によれば、リアルタイムで農業機材等の走行移動物体１１の運行時状況の高精度位置情報と連動した各種自動収集データをネットワーク網経由で、高精度位置・センサ統合情報蓄積装置１９に送信して保存することができる。これにより、農業等ビッグデータ蓄積を可能とするため、ビッグデータ活用を促進できる。
【０１４３】
また、本発明の実施形態によれば、農業分野における個別農業経営体の利用を越えた、コントラクタ等の大規模耕作工程請負においても、精度・コストの問題を解消して利用可能である。コントラクタにおける請負契約では、高精度の契約内容表示・報告が可能となり、農業等における、コントラクタ等請負業のビジネス発展を促すことができる。
【０１４４】
また、現在、空撮・衛星画像等による画像情報を位置情報に連動させるためには個別の演算処理が必要でありかつ、空撮・衛星画像による精度はｃｍ精度には到底到らない精度である。またその都度、空撮または衛星からの画像情報を購入する必要がありコスト高である。本発明の実施形態では、走行移動物体１１が走行する都度、リアルタイムで走行移動物体１１が走行した経路に従って高精度位置情報とセンサ等による取得データを自動的に統合・収集できるため、大幅な効率化が図れると共に、精度の改善を可能となる。
【０１４５】
また、位置情報と連動した収集対象センサ情報の種類は、空撮の場合は空撮装置に搭載する遠隔センサが必要であり、衛星画像の場合は衛星にセンサが搭載されていなければ望むセンサ情報による衛星画像を取得できない。本発明の実施形態では、走行移動物体１１に取り付けるセンサの種類を変更するのみで必要なセンサ情報を高精度位置情報と共に収集できる。また、空撮・衛星画像では対象地域の表面情報を主体とせざるを得ないが、本発明の実施形態では、近接測定センサ情報を含め、農地等の接地情報または地下内部情報等も高精度位置情報のＺ軸情報と連動して自動的に収集できる。
【０１４６】
なお、上述の実施形態では、農業分野での適用例について説明したが、本発明は、他の分他での位置計測にも、同様に適用できる。例えば、システム端末１５をトラクタ等の作業機械に搭載する他、ロボット等に搭載することで、農業のほか、建設、探索、災害救助等の走行移動物体に応用可能である。
【０１４７】
なお、測位システム１の全部又は一部の機能を実現するためのプログラムをコンピュータ読み取り可能な記録媒体に記録して、この記録媒体に記録されたプログラムをコンピュータシステムに読み込ませ、実行することにより全部または一部の処理を選択的に行っても良い。なお、ここでいう「コンピュータシステム」とは、ＯＳや周辺機器等のハードウェアを含むものとする。
また、「コンピュータシステム」は、ＷＷＷシステムを利用している場合であれば、ホームページ提供環境（あるいは表示環境）も含むものとする。
【０１４８】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。更に「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、更に前述した機能をコンピュータシステムにすでに記録されているプログラムとの組み合わせで実現できるものであっても良い。
【０１４９】
以上、本発明の実施形態について図面を参照して詳述してきたが、具体的な構成はこの実施形態に限られるものではなく、この発明の要旨を逸脱しない範囲の設計変更等も含まれる。
【符号の説明】
【０１５０】
１：測位システム
１１：走行移動物体
１２：ガイダンス装置
１３：移動衛星受信機
１４：自動操舵装置
１５：システム端末
１６：固定基地局
１７：位置補正情報配信装置
１８：中央制御装置
１９：高精度位置・センサ統合情報蓄積装置
２０：衛星
【図１】
2017083212.tif 000003
【図２】
2017083212.tif 000004
【図３】
2017083212.tif 000005
【図４】
2017083212.tif 000006
【図５】
2017083212.tif 000007
【図６】
2017083212.tif 000008
【図７】
2017083212.tif 000009
【図８】
2017083212.tif 000010
【図９】
2017083212.tif 000011
【図１０】
2017083212.tif 000012
【図１１】
2017083212.tif 000013
【図１２】
2017083212.tif 000014
【図１３】
2017083212.tif 000015
【図１４】
2017083212.tif 000016
【図１５】
2017083212.tif 000017
【図１６】
2017083212.tif 000018
【図１７】
2017083212.tif 000019
【図１８】
2017083212.tif 000020
【図１９】
2017083212.tif 000021